(57)【要約】【課題】  ＵＳＢソケットに設置されることにより、パソコンの秘密資料を外部へ漏れることがないようにするＵＳＢソケット用ロックを提供する。【解決手段】  内部にカギと該カギと連接すると共に、一端にカットアウトが形成される回動ブロックが設けられるカギ座と、一端に支持ロッドが設けられると共に、該支持ロッドの外側に孔を有する係合プレートが設けられ、該孔の両側に夫々第一斜面と第二斜面が形成されるベースと、一端にカバーが設けられると共に、他端にベースが設けられ、一側に第一斜面によって移動可能の係合プレートが設けられると共に、該係合プレートの外側に突出プレートが設けられる係合部材とを備え、該ベースがカギ座の外側に設けられると共に、カバーがカギ座に固設されることを特徴とする。【選択図】  図１
0003106529.tif 000002
【実用新案登録請求の範囲】
【請求項１】
内部にカギと該カギと連接すると共に、一端にカットアウトが形成される回動ブロックが設けられるカギ座と、一端に支持ロッドが設けられると共に、該支持ロッドの外側に孔を有する係合プレートが設けられ、該孔の両側に夫々第一斜面と第二斜面が形成されるベースと、一端にカバーが設けられると共に、他端にベースが設けられ、一側に第一斜面によって移動可能の係合プレートが設けられると共に、該係合プレートの外側に突出プレートが設けられる係合部材とを備え、該ベースがカギ座の外側に設けられると共に、カバーがカギ座に固設されることを特徴とするＵＳＢソケット用ロック。
【請求項２】
前記係合プレートの一端に湾曲の自由端が設けられ、該自由端が第一斜面と第二斜面との間に位置され、前記カギ座の中央にカギを収容するため凹部を有する収容部が形成され、前記回動ブロックに凹部に移動可能の突出ブロックを有する側ブロックが設けられることを特徴とする請求項１に記載のＵＳＢソケット用ロック。
【請求項３】
前記カギ座における収容部の一端にロッドが設けられ、カバーに該ロッドに対する円孔が形成され、前記係合部材の内部に止めプレートが設けられ、ベースの係合プレートに該止めプレートに対する係合溝が形成され、カバーの一側に位置決め凹部が形成されると共に、係合部材の一端に該位置決め凹部に対する位置決めプレートが設けられることを特徴とする請求項２に記載のＵＳＢソケット用ロック。
【考案の詳細な説明】
【技術分野】
【０００１】
本考案は、特にＵＳＢソケットに設置されることにより、パソコンの秘密資料を外部へ漏れることがないようにするＵＳＢソケット用ロックに関するものである。
【背景技術】
【０００２】
科学の発展に伴い、パソコン用資料記憶装置も絶えずに発展している。近年、ＵＳＢコネクタがついて、ポケットに入れることができる小型のＵＳＢメモリは、新型のパソコン用資料記憶装置である。
上記ＵＳＢメモリは小型で携帯便利の特徴を有し、使用者は該ＵＳＢメモリをパソコンのＵＳＢソケットに挿入することにより、パソコンの資料を読取又は記憶することができるので、非常に便利である。
【考案の開示】
【考案が解決しようとする課題】
【０００３】
しかしながら、大部分の会社はコピー禁止の商業秘密などの資料を有し、もし、これらの資料が商業スパイによって上記ＵＳＢメモリにコピーされれば、会社に大きな損失を与える恐れがある。
そこで、案出されたのが本考案であって、ＵＳＢソケットに設置されることにより、パソコンの秘密資料を外部へ漏れることがないようにするＵＳＢソケット用ロックを提供することを目的としている。
【課題を解決するための手段】
【０００４】
本願の請求項１の考案は、内部にカギと該カギと連接すると共に、一端にカットアウトが形成される回動ブロックが設けられるカギ座と、一端に支持ロッドが設けられると共に、該支持ロッドの外側に孔を有する係合プレートが設けられ、該孔の両側に夫々第一斜面と第二斜面が形成されるベースと、一端にカバーが設けられると共に、他端にベースが設けられ、一側に第一斜面によって移動可能の係合プレートが設けられると共に、該係合プレートの外側に突出プレートが設けられる係合部材とを備え、該ベースがカギ座の外側に設けられると共に、カバーがカギ座に固設されることを特徴とするＵＳＢソケット用ロック及び、
本願の請求項２の考案は、前記係合プレートの一端に湾曲の自由端が設けられ、該自由端が第一斜面と第二斜面との間に位置され、前記カギ座の中央にカギを収容するため凹部を有する収容部が形成され、前記回動ブロックに凹部に移動可能の突出ブロックを有する側ブロックが設けられることを特徴とする請求項１に記載のＵＳＢソケット用ロック及び、
本願の請求項３の考案は、前記カギ座における収容部の一端にロッドが設けられ、カバーに該ロッドに対する円孔が形成され、前記係合部材の内部に止めプレートが設けられ、ベースの係合プレートに該止めプレートに対する係合溝が形成され、カバーの一側に位置決め凹部が形成されると共に、係合部材の一端に該位置決め凹部に対する位置決めプレートが設けられることを特徴とする請求項２に記載のＵＳＢソケット用ロック、を提供する。
【考案の効果】
【０００５】
本考案は上記の課題を解決するものであり、係合部材の突出プレートとＵＳＢソケットとの係合状態を制御することにより、ＵＳＢソケットをロックすることができる。
【考案を実施するための最良の形態】
【０００６】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
図１は本考案に係るＵＳＢソケット用ロックの分解斜視図であり、図２は本考案に係るＵＳＢソケット用ロックの一部分解斜視図であり、図３から図７は本考案に係るＵＳＢソケット用ロックの断面図であり、図８は本考案に係るＵＳＢソケット用ロックの斜視図である。
図１、図２及び図８に示すように、本考案に係るＵＳＢソケット用ロックはカギ座（１０）と、回動ブロック（２０）と、ベース（３０）と、係合部材（４０）と、カバー（５０）とを備える。
図１、図３及び図４に示すように、前記カギ座（１０）の中央にカギ（符号なし）を収容するため内部に凹部（１１１）を有する収容部（１１）が形成され、一端に溝（１３）が形成され、収容部（１１）の一端に四本のロッド（１２）が設けられ、前記回動ブロック（２０）の一端にカギの駆動ロッド（符号なし）と結合する溝（符号なし）が形成されると共に、他端にカットアウト（２３）が形成され、該カットアウト（２３）の両側に側ブロック（２１）が設けられ、一つの側ブロック（２１）の外側に幅が凹部（１１１）の長さより小さい突出ブロック（２２）が設けられる。カギ座（１０）と回動ブロック（２０）を組み合わせる場合、回動ブロック（２０）をカギ座（１０）の内部に置き込んでカギの駆動ロッドと結合し、突出ブロック（２２）が収容部（１１）の凹部（１１１）に挿入されることにより、カギを回動する際、回動ブロック（２０）を回転させ、又、突出ブロック（２２）が凹部（１１１）の内部だけで回転するので、回動ブロック（２０）はカギ座（１０）に対して、例えば９０度の回動を行うことができる。
又、図１及び図２に示すように、前記カバー（５０）の中央に係合部材（４０）を貫通するため四方形の孔が形成され、孔における四つの角にロッド（１２）を収容するため円孔（５２）が形成され、カバー（５０）の一側に位置決め凹部（５１）が形成され、前記係合部材（４０）の一端に位置決め凹部（５１）に対して位置決めプレート（４１）が設けられ、内部に止めプレート（４２）が設けられ、又、止めプレート（４２）の間に、一端が係合部材（４０）と連接すると共に、他端に湾曲の自由端（４３２）を有する係合プレート（４３）が設けられ、自由端（４３２）の両側に突出プレート（４３１）が設けられる。
前記ベース（３０）はリング状ブロックであり、一端の開口に支持ロッド（３１）が設けられ、該支持ロッド（３１）の外側に係合部材（４０）に挿入する係合プレート（３２）が設けられ、該係合プレート（３２）前端に孔（３３）が形成されると共に、孔（３３）の両側に夫々第一斜面（３４）と第二斜面（３４１）が設けられ、係合プレート（３２）の上、下側に係合溝（３２１）が形成されることにより、係合部材（４０）の自由端（４３２）が係合プレート（３２）の孔（３３）に位置される。
図１に示すように、本考案に係るＵＳＢソケット用ロックを組合せる際、内部にカギを有するカギ座（１０）の一端に回動ブロック（２０）が挿入されると共に、突出ブロック（２２）が凹部（１１１）に挿入され、ベース（３０）がカギ座（１０）の外側に設けられると共に、支持ロッド（３１）がカットアウト（２３）に置き込まれ、係合部材（４０）がカバー（５０）と結合された後、ベース（３０）の係合プレート（３２）が係合部材（４０）に挿入されると共に、カギ座（１０）のロッド（１２）がカバー（５０）の円孔（５２）に挿入される。
図５に示すように、本考案に係るＵＳＢソケット用ロックを使用する場合、係合部材（４０）の一端がＵＳＢソケットに挿入されると共に、係合プレート（４３１）がＵＳＢソケットの内部に係合され、カギによって回動ブロック（２０）を回動させ、回動ブロック（２０）の側ブロック（２１）が支持ロッド（３１）と直交する際、ベース（３０）が回動ブロック（２０）によって押圧されると共に、係合プレート（４３）が係合プレート（３２）によって押圧されるので、突出プレート（４３１）が、ＵＳＢソケットから脱出できないことにより、施錠状態とする。
図６乃至図７に示すように、本考案に係るＵＳＢソケット用ロックを使用しない場合、回動ブロック（２０）を回動させ、側ブロック（２１）が支持ロッド（３１）と平行し、この際、ベース（３０）がカットアウト（２３）に移動することができるので、係合プレート（３２）における第一斜面（３４）が係合プレート（４３）の自由端（４３２）と接触すると共に、係合プレート（４３）が第二斜面（３４１）に沿って係合部材（４０）の内部に移動することにより、突出プレート（４３１）がＵＳＢソケットから脱出することができる。
【産業上の利用可能性】
【０００７】
本考案は上記の構成を有するので、係合部材の突出プレートとＵＳＢソケットとの係合状態を制御することにより、ＵＳＢソケットをロックすることができる。
【図面の簡単な説明】
【０００８】
【図１】本考案に係るＵＳＢソケット用ロックの分解斜視図である。
【図２】本考案に係るＵＳＢソケット用ロックの一部分解斜視図である。
【図３】本考案に係るＵＳＢソケット用ロックの断面図である。
【図４】本考案に係るＵＳＢソケット用ロックの断面図である。
【図５】本考案に係るＵＳＢソケット用ロックの断面図である。
【図６】本考案に係るＵＳＢソケット用ロックの断面図である。
【図７】本考案に係るＵＳＢソケット用ロックの断面図である。
【図８】本考案に係るＵＳＢソケット用ロックの斜視図である。
【符号の説明】
【０００９】
１０  カギ座
１１  収容部
１１１  凹部
１２  ロッド
１３  溝
２０  回動ブロック
２１  側ブロック
２２  突出ブロック
２３  カットアウト
３０  ベース
３１  支持ロッド
３２  係合プレート
３２１  係合溝
３３  孔
３４  第一斜面
３４１  第二斜面
４０  係合部材
４１  位置決めプレート
４２  止めプレート
４３  係合プレート
４３１  突出プレート
４３２  自由端
５０  カバー
５１  位置決め凹部
５２  円孔
【図１】
0003106529.tif 000003
【図２】
0003106529.tif 000004
【図３】
0003106529.tif 000005
【図４】
0003106529.tif 000006
【図５】
0003106529.tif 000007
【図６】
0003106529.tif 000008
【図７】
0003106529.tif 000009
【図８】
0003106529.tif 000010